(57)【要約】  温水システムによって供給される温水の温度を制御する方法であって、少なくとも１つのモバイル機器からの通信を受信するために適した通信装置を準備することを含み、該通信装置は、前記少なくとも１つのモバイル機器がいつ所定の領域内にあるかを判別するために配置され、前記所定の領域内には、事前選択された温水利用ポイントがある。前記少なくとも１つのモバイル機器が前記所定の領域内にあるという判定に応答して、ユーザが前記温水システムの温度設定を選択することが可能となる。前記選択は、前記温水システムと通信する受信器に無線通信される。
2020513534.tif 000002
【特許請求の範囲】
【請求項１】
温水システムによって供給される温水の温度を制御する方法であって、
少なくとも１つのモバイル機器からの通信を受信するために適した通信装置を準備することを含み、該通信装置は、前記少なくとも１つのモバイル機器がいつ所定の領域内にあるかを判別するために配置され、さらに、
前記少なくとも１つのモバイル機器が前記所定の領域内にあるという判定に応答して、ユーザが前記温水システムの温度設定を選択することを可能にすること、及び、
前記選択がなされた場合、前記温水システムと通信する受信器に前記選択を無線通信すること、を含んでいる方法。
【請求項２】
前記選択された温度設定は、低温範囲よりも高温の高温設定を含むことを特徴とする請求項１に記載の方法。
【請求項３】
前記所定の領域の外側において、水温設定は、前記低温範囲内で、事前設定されるか、またはユーザ選択可能であることを特徴とする請求項２に記載の方法。
【請求項４】
前記選択がなされない場合、前記温水システムは、前記低温範囲内の温度で温水を出力することを特徴とする請求項２または３に記載の方法。
【請求項５】
前記低温範囲よりも高温の水温の範囲が、前記高温設定内で選択可能であることを特徴とする請求項２から４のいずれか１項に記載の方法。
【請求項６】
前記選択された温度設定において、前記温水器は、選択または事前設定された温度に水を加熱することを特徴とする請求項１から５のいずれか１項に記載の方法。
【請求項７】
前記選択される温度は、前記ユーザによって事前設定または選択されることを特徴とする請求項６に記載の方法。
【請求項８】
前記通信装置は、前記少なくとも１つのモバイル機器によって検出されるために適した信号を射出する信号射出装置であることを特徴とする請求項１から７のいずれか１項に記載の方法。
【請求項９】
前記モバイル機器が前記所定の領域内に位置することの判別は、前記モバイル機器が前記射出された信号を検出することによってなされることを特徴とする請求項８に記載の方法。
【請求項１０】
前記温度設定を選択するステップは、ユーザを認証すること及び／または前記モバイル機器を認証することを含むことを特徴とする請求項１から９のいずれか１項に記載の方法。
【請求項１１】
ユーザ及び／またはモバイル機器を認証するステップは、前記温度設定の前記選択よりも前に発生することを特徴とする請求項１０に記載の方法。
【請求項１２】
前記温度設定は、前記ユーザ及び／または前記モバイル機器が認証されることによって自動的に選択されることを特徴とする請求項１０に記載の方法。
【請求項１３】
前記ユーザの認証は、パスワードまたはパスコードの検証、生体計測による検証、またはそれらの組合せを含むことを特徴とする請求項１０から１２のいずれか１項に記載の方法。
【請求項１４】
前記モバイル機器の認証は、バーコードまたはＱｕｉｃｋ  Ｒｅｓｐｏｎｓｅ  コード（ＱＲコード（登録商標））のスキャン、近距離無線通信（ＮＦＣ）スキャン、前記モバイル機器を事前設定された位置または接続ポイントに置くことまたは該位置または該接続ポイントの受台に載せること、のうちの１つまたは複数を含むことを特徴とする請求項１０から１３のいずれか１項に記載の方法。
【請求項１５】
前記ユーザ及び／またはモバイル機器の認証は、前記所定の領域内に配置された認証装置で実行されることを特徴とする請求項９から１３のいずれか１項に記載の方法。
【請求項１６】
ユーザは、前記モバイル機器で選択する、スイッチを入れる、バーコードまたはＱｕｉｃｋ  Ｒｅｓｐｏｎｓｅ  コード（ＱＲコード（登録商標））をスキャンする、近距離無線通信（ＮＦＣ）スキャンを行う、または、前記無線機器を事前設定された位置または接続ポイントに置くまたは該位置または該接続ポイントの受台に載せることにより、前記選択される温度設定を選択することを特徴とする請求項１から１５のいずれか１項に記載の方法。
【請求項１７】
前記モバイル機器が前記事前選択された出水口の近くにあることの前記判別時に、前記モバイル機器のインターネットプロトコル（ＩＰ）アドレスを記録すること、及び、その後の任意の通信が同一のＩＰアドレスから発していることを検証すること、を含むことを特徴とする請求項１から１６のいずれか１項に記載の方法。
【請求項１８】
前記選択は、選択された温度で前記温水システムが温水を供給する温度制御期間を開始させ、前記温度制御期間の終了時、前記温水システムは、以前のまたは初期設定の温度で温水を供給する状態に復帰することを特徴とする請求項１から１７のいずれか１項に記載の方法。
【請求項１９】
前記事前選択された出水口が前記選択された温度で温水を供給するように開かれた後、前記事前選択された出水口が閉じられた時点でタイマを始動させ、前記タイマが所定の期間に到達した後に前記温度制御期間を終了させることを特徴とする請求項１８に記載の方法。
【請求項２０】
前記選択された温度設定は、前記所定の期間中に前記事前選択された出水口が再度開かれたときにもまだ適用されることを特徴とする請求項１９に記載の方法。
【請求項２１】
前記選択された温度設定の終了は、使用の持続時間に基づいて前記ユーザにより事前設定される、ユーザ停止により生じる、前記モバイル機器における前記信号の検出の喪失により生じる、または、これらの１つまたは複数の組合せ、のうちの１つまたは複数であることを特徴とする請求項１８から２０のいずれか１項に記載の方法。
【請求項２２】
前記温度制御期間の終了前に、第２の温度制御期間は開始され得ないことを特徴とする請求項１８から２１に記載の方法。
【請求項２３】
前記モバイル機器は、極超短波（ＵＨＦ）電波信号、超短波（ＶＨＦ）電波信号、周波数変調（ＦＭ）電波信号、振幅変調（ＡＭ）電波信号、３Ｇ、４Ｇ、または５Ｇのプロトコル、Ｂｌｕｅｔｏｏｔｈ（登録商標）  Ｃｌａｓｓｉｃ、Ｂｌｕｅｔｏｏｔｈ（登録商標）  Ｌｏｗ  Ｅｎｅｒｇｙ（ＢＬＥ）、ＷｉＦｉ（登録商標）  Ａ／Ｂ／Ｃ／Ｇ／Ｎ、赤外線（ＩＲ）のうちの１つを使用して前記受信器と通信することを特徴とする請求項１から２２のいずれか１項に記載の方法。
【請求項２４】
前記温水システムは、２以上の出水口に温水を供給するために適していることを特徴とする請求項１から２３のいずれか１項に記載の方法。
【請求項２５】
前記信号射出装置は、前記信号を調整可能な領域に射出することを特徴とする請求項１から２４のいずれか１項に記載の方法。
【請求項２６】
前記射出される信号は、Ｂｌｕｅｔｏｏｔｈ（登録商標）信号、Ｂｌｕｅｔｏｏｔｈ（登録商標）  Ｌｏｗ  Ｅｎｅｒｇｙ（ＬＥ）信号、赤外線（ＩＲ）ビーム、所定の可聴周波数パターン、または、超音波信号のうちの１つまたは複数を含むことを特徴とする請求項１から２５のいずれか１項に記載の方法。
【請求項２７】
前記モバイル機器が前記所定の領域内に位置していると判定されたとき、前記モバイル機器での高温選択に対する制限を解除するステップをさらに含むことを特徴とする請求項１から２６のいずれか１項に記載の方法。
【請求項２８】
前記温度設定を変更するステップは、前記ユーザが前記変更を実行すること、選択すること、または確認することを含むことを特徴とする請求項１から２７のいずれか１項に記載の方法。
【請求項２９】
前記少なくとも１つのモバイル機器に優先順位を割り当てるステップを含むことを特徴とする請求項１から２８のいずれか１項の記載の方法。
【請求項３０】
２以上の前記モバイル機器がある場合、前記受信器は、最も高い優先順位が割り当てられた前記モバイル機器からの通信を受信することを特徴とする請求項２９に記載の方法。
【請求項３１】
温水システムのための温度制御システムであって、
事前選択された出水口の近くに配置され、少なくとも１つのモバイル機器が所定の領域内にあるかどうかの判別を可能にするために、前記少なくとも１つのモバイル機器からの通信を受信するために適している通信装置を含み、
前記モバイル機器または前記モバイル機器と通信する別体の装置のプロセッサ上で実行可能なアプリケーションは、前記モバイル機器が前記所定の領域内にあることの判定を受信するために適しており、前記判定の受信に応答して、ユーザが温度設定を選択することを可能にし、前記モバイル機器は、前記ユーザの選択を受信器に無線通信し、
前記受信器は、温度設定の選択の受信に応答して、前記温水システムに、選択された温度設定で温水を供給する制御信号を出力する、温度制御システム。
【請求項３２】
前記事前選択された出水口は、初期設定の温度よりも高温の温度で温水を供給することが許可されており、前記アプリケーションは、前記ユーザが初期設定の温度設定または高温設定を選択することを可能することを特徴とする請求項３１に記載の温度制御システム。
【請求項３３】
前記所定の領域の外側では、前記温度設定の選択は低温範囲に制限されることを特徴とする請求項３２に記載の温度制御システム。
【請求項３４】
モバイル機器のプロセッサ上で実行されたとき、
モバイル機器が所定の領域内に位置しているかどうかを判別するために、前記モバイル機器からの通信を受信する、前記モバイル機器が前記所定の領域内に位置するという判定に応答して、ユーザが前記所定の領域内の事前選択された温水利用ポイントに温水器により供給される温水の温度設定を選択することを可能にするユーザインタフェースを、起動することを許可する、及び、前記温水器と通信する受信器に前記ユーザの選択を無線通信する、ように動作可能である、ソフトウェアアプリケーション製品。
【請求項３５】
前記ユーザインタフェースは、前記ユーザが高温設定を選択することを可能にし、前記温水器は、低温範囲よりも高温で温水を供給することを特徴とする請求項３４に記載のソフトウェアアプリケーション製品。
【請求項３６】
１つまたは複数の出口に温水を供給するために適しており、請求項１から３０のいずれか１項に記載の温度を制御する方法によって制御される温水器。
【請求項３７】
請求項３６に記載の温水器を含み、該温水器は１つまたは複数の出口を有し、該１つまたは複数の出口に接続された１つまたは複数の蛇口に温水が供給される、温水システム。
【請求項３８】
前記温水器は、前記温水器からの温水が供給される蛇口の数と同数の出口を有することを特徴とする請求項３７に記載の温水システム。
【請求項３９】
前記温水器は２以上の出口を有し、該２以上の出口のうちの少なくとも１つは、初期設定の温度よりも高温の最高水温が許可されている場所の少なくとも１つの蛇口に供給し、１つまたは複数の残りの出口は、前記初期設定の温度が許可された最高水温である場所の少なくとも１つの蛇口に供給する、ことを特徴とする請求項３８に記載の温水システム。
【請求項４０】
前記１つまたは複数の残りの出口には、それぞれ湯水混合弁が取り付けられることを特徴とする請求項３９に記載の温水システム。
【請求項４１】
前記１つまたは複数の出口には、それぞれ湯水混合弁が取り付けられることを特徴とする請求項３７または３８に記載の温水システム。
【請求項４２】
前記初期設定の温度よりも高温の最高水温が許可されている場所の前記少なくとも１つの蛇口を除く全ての蛇口に、蛇口に位置する湯水混合弁が設けられることを特徴とする請求項３７から３９のいずれか１項に記載の温水システム。
【請求項４３】
前記初期設定の温度よりも高温の最高水温が許可されている場所の前記少なくとも１つの蛇口のうちの唯一つを除く全ての蛇口に、蛇口に位置する湯水混合弁が設けられることを特徴とする請求項３７から３９のいずれか１項に記載の温水システム。
【発明の詳細な説明】
【技術分野】
【０００１】
本発明は、温水器によって供給される温水の温度制御に関し、特に場所に基づく温度制御に関する。
【背景技術】
【０００２】
温水器のための典型的な制御トポロジは、それぞれ異なる場所（例えば、浴室または台所）に配置された複数のコントローラを含む。これらのコントローラは、通常、温水器に有線接続され、有線コマンドのプロトコルを介して通信して、事前設定された水温を与える、または他の特定の機能（例えば、浴槽のお湯はり）を要求する。各コントローラは、住居または建築物内のそれぞれの部屋に取り付けられているため、各コントローラを一意的に識別可能であり、コントローラの場所に基づいて異なる温度限界を設定することができる。例えば、台所のコントローラは、皿すすぎ用に比較的高い最高水温（例えば、６０℃）を使用可能にし、一方、浴室のコントローラは、熱傷の可能性を避けるまたは低減するため、比較的低い最高水温（例えば、５０℃）のみを使用可能にする。
【発明の概要】
【発明が解決しようとする課題】
【０００３】
従来の有線式のコントローラの代わりに、リモートユニット、スマートフォン、またはタブレット等の無線式のモバイル機器を導入することによって、危険な状況が生じ得る。例えば、ユーザは、台所における皿すすぎ用の高温の設定（例えば、６０℃）を承認するために使用した機器と同じ機器から、浴室における高温の承認も行う可能性がある。
【０００４】
本明細書における既知の先行技術への参照は、別段の指示が明示されない限り、そのような先行技術が、本出願の優先日において本発明に関連する分野の当業者に一般に知られていることの承認を構成するものではない。
【課題を解決するための手段】
【０００５】
本発明は、温水システムによって供給される温水の温度を制御する方法を提供する。この方法は、少なくとも１つのモバイル機器が、いつ事前選択された温水利用ポイントの近くにあるかを判別するために配置される通信装置を準備すること、少なくとも１つのモバイル機器が事前選択された温水利用ポイントの近くにあるという判定に応答して、ユーザが温水システムの温度設定を選択することを可能にすること、選択がなされた場合、温水システムと通信する受信器にその選択を無線通信すること、を含む。
【０００６】
温度設定の選択は、温水システムが低温範囲よりも高温の温水を出力する高温設定を選択することを含むものであってもよい。
【０００７】
選択がなされない場合、温水システムは、低温範囲内の温度で温水を出力するものであってもよい。
【０００８】
通信装置は、少なくとも１つのモバイル機器によって検出されるために適した信号を射出する信号射出装置であってもよい。
【０００９】
モバイル機器が事前選択された温水利用ポイントの近くに位置することの判別は、モバイル機器が射出された信号を検出することによってなされるものであってもよい。
【００１０】
信号射出装置から射出される信号の到達範囲は、事前選択された温水利用ポイントが備えられた領域の適切な範囲を設けるために、調整可能であってもよい。
【００１１】
射出される信号は、Ｂｌｕｅｔｏｏｔｈ（登録商標）信号、Ｂｌｕｅｔｏｏｔｈ（登録商標）  Ｌｏｗ  Ｅｎｅｒｇｙ（ＬＥ）信号、赤外線ビーム、所定の可聴周波数パターン、または、超音波信号であってもよい。
【００１２】
この方法は、モバイル機器が事前選択された温水利用ポイントの近くに位置していると判定されたとき、モバイル機器での高温設定の選択に対する制限を解除するステップをさらに含むものであってもよい。
【００１３】
選択された温度設定において、温水器は、事前設定された温度に水を加熱するものであってもよい。この温度は、ユーザによって事前設定されるものであってもよい。
【００１４】
低温範囲よりも高温の水温の範囲が、高温設定内で選択可能であってもよい。
【００１５】
高温設定を選択するステップは、ユーザが選択を実行すること、選択すること、または確認することを含む。
【００１６】
この方法は、ユーザを認証する及び／またはモバイル機器を認証するステップを含むものであってもよい。
【００１７】
ユーザ及び／またはモバイル機器を認証するステップは、温度設定の選択よりも前または後に発生するものであってもよい。
【００１８】
温度設定は、ユーザによって選択される、及び／または、モバイル機器が認証されることによって自動的に選択されるものであってもよい。
【００１９】
ユーザの認証は、パスワードまたはパスコードの検証、生体計測による検証、またはそれらの組合せを含むものであってもよい。
【００２０】
モバイル機器の認証は、バーコードまたはＱｕｉｃｋ  Ｒｅｓｐｏｎｓｅ  コード（ＱＲコード（登録商標））のスキャン、近距離無線通信（ＮＦＣ）スキャン、モバイル機器を事前設定された位置または接続ポイントに置くことまたは該位置または該接続ポイントの受台に載せること、のうちの１つまたは複数を含むものであってもよい。
【００２１】
前記ユーザ及び／またはモバイル機器の認証は、事前設定された温水利用ポイントの近くに配置された認証装置で実行されるものであってもよい。
【００２２】
ユーザは、モバイル機器で選択する、スイッチを入れる、バーコードまたはＱｕｉｃｋ  Ｒｅｓｐｏｎｓｅ  コード（ＱＲコード（登録商標））をスキャンする、近距離無線通信（ＮＦＣ）スキャンを行う、または、無線機器を事前設定された位置または接続ポイントに置くまたは該位置または該接続ポイントの受台に載せることにより、温度設定を選択するものであってもよい。
【００２３】
この方法は、モバイル機器が事前選択された出水口の近くにあることの判別時に、モバイル機器のインターネットプロトコル（ＩＰ）アドレスを記録すること、及び、その後の任意の通信が同一のＩＰアドレスから発していることを検証すること、を含むものであってもよい。
【００２４】
２以上のモバイル機器と受信器とは対をなすものであってもよい。この際、２以上のモバイル機器のそれぞれは、ユーザが高温設定を選択することを可能にするものである。
【００２５】
受信器に存在するアプリケーションは、対をなすモバイル機器のそれぞれに優先順位を割り当て、どのモバイル機器が水温を設定するための優先順位を有するかを決定するものであってもよい。
【００２６】
高温設定の選択は、選択された温度で温水システムが温水を供給する温度制御期間を開始させ、温度制御期間の終了時、温水システムは、低温で温水を供給する状態に復帰するものであってもよい。
【００２７】
選択された温度設定の終了は、使用の持続時間に基づいてユーザにより事前設定される、ユーザ停止により生じる、モバイル機器における信号の検出の喪失により生じる、または、これらの１つまたは複数の組合せであってもよい。
【００２８】
事前選択された出水口が選択された温度で温水を供給するように開かれ、事前選択された出水口が閉じられた時点でタイマを始動させ、タイマが所定の期間に到達した後に温度制御期間を終了させるものであってもよい。
【００２９】
選択された温度設定は、所定の期間中に事前選択された出水口が再度開かれたときにもまだ適用されるものであってもよい。
【００３０】
モバイル機器は、極超短波（ＵＨＦ）電波信号、超短波（ＶＨＦ）電波信号、周波数変調（ＦＭ）電波信号、振幅変調（ＡＭ）電波信号、３Ｇ、４Ｇ、または５Ｇのプロトコル、Ｂｌｕｅｔｏｏｔｈ（登録商標）  Ｃｌａｓｓｉｃ、Ｂｌｕｅｔｏｏｔｈ（登録商標）  Ｌｏｗ  Ｅｎｅｒｇｙ（ＢＬＥ）、ＷｉＦｉ（登録商標）  Ａ／Ｂ／Ｃ／Ｇ／Ｎ、赤外線（ＩＲ）のうちの１つを使用して受信器と通信するものであってもよい。
【００３１】
温水システムは、２以上の出水口に温水を供給するために適しているものであってもよい。
【００３２】
信号射出装置は、調整可能な範囲に信号を射出するものであってもよい。
【００３３】
射出される信号は、Ｂｌｕｅｔｏｏｔｈ（登録商標）信号、Ｂｌｕｅｔｏｏｔｈ（登録商標）  Ｌｏｗ  Ｅｎｅｒｇｙ（ＬＥ）信号、赤外線ビーム、所定の可聴周波数パターン、または、超音波信号のうちの１つまたは複数を含むものであってもよい。
【００３４】
この方法は、モバイル機器が事前選択された温水利用ポイントの近くに位置していると判定されたとき、モバイル機器での高温選択に対する制限を解除するステップをさらに含むものであってもよい。
【００３５】
本発明は、温水システムのための温度制御システムも提供する。この温度制御システムは、事前選択された出水口の近くに配置され、一定の範囲にわたって信号を射出し、その信号は、少なくとも１つのモバイル機器が事前選択された出水口の近くにあるかどうかを判別するために適した少なくとも１つのモバイル機器によって検出または認識されるために適している信号射出装置を含み、モバイル機器またはモバイル機器と通信する別体の装置のプロセッサ上で実行可能なアプリケーションは、モバイル機器が事前選択された出水口の近くにあることの判定を受信するために適しており、この判定の受信に応答して、ユーザが高温設定または低温設定を選択することを可能にし、モバイル機器は、ユーザの選択を受信器に無線通信し、受信器は、温度設定の選択の受信に応答して、温水システムに、選択された温度設定で温水を供給する制御信号を出力するものである。
【００３６】
事前選択された出水口は、低温または低温範囲よりも高温の温度で温水を供給することが許可されており、アプリケーションは、ユーザが低温設定または高温設定を選択することを可能するものであってもよい。
【００３７】
本発明は、ソフトウェアアプリケーション製品も提供する。このソフトウェアアプリケーション製品は、モバイル機器のプロセッサ上で実行されたとき、モバイル機器の位置を判別するために、モバイル機器が信号射出装置の信号到達範囲内にあるとき、信号射出装置によって射出される信号を検出する、モバイル機器が事前選択された温水利用ポイントの近くに位置するという判定に応答して、ユーザが、事前選択された温水利用ポイントに温水器により供給される温水の温度設定を選択することを可能にするユーザインタフェースを、起動することを許可する、及び、温水器と通信する受信器にユーザの選択を無線通信する、ように動作可能である。
【００３８】
ユーザインタフェースは、ユーザが高温設定を選択することを可能にし、温水器は、低温範囲よりも高温で温水を供給するものであってもよい。
【００３９】
本発明は、さらに、１つまたは複数の出口に温水を供給するために適しており、上述した温度を制御する方法によって制御される温水器を提供する。
【００４０】
本発明は、上述した温水器を含む温水システムも提供する。この温水器は、１つまたは複数の出口を有し、該１つまたは複数の出口に接続された１つまたは複数の蛇口に温水が供給される。
【００４１】
温水器は、温水器からの温水が供給される蛇口の数と同数の出口を有するものであってもよい。
【００４２】
温水器は、２以上の出口を有し、この２以上の出口のうちの少なくとも１つは、低温範囲よりも高温の最高水温が許可されている場所の少なくとも１つの蛇口に供給し、１つまたは複数の残りの出口は、供給温度が低温範囲内である場所の少なくとも１つの蛇口に供給するものであってもよい。
【００４３】
１つまたは複数の残りの出口には、それぞれ湯水混合弁が取り付けられるものであってもよい。
【００４４】
出口またはそれぞれの出口には、それぞれ湯水混合弁が取り付けられるものであってもよい。
【００４５】
低温範囲よりも高温の最高水温が許可されている場所の少なくとも１つの蛇口を除く全ての蛇口に、蛇口に位置する湯水混合弁が設けられるものであってもよい。
【００４６】
低温範囲よりも高温の最高水温が許可されている場所の少なくとも１つの蛇口のうちの唯一つを除く全ての蛇口に、蛇口に位置する湯水混合弁が設けられるものであってもよい。
【００４７】
以下、本発明の１つのまたは複数の実施形態を、添付図面を参照し、例として説明する。
【図面の簡単な説明】
【００４８】
【図１】図１は、本発明の一態様に従う場所に基づく温度制御システムを模式的に示す図である。
【図２】図２は、温度制御システムの事象系列を示すフローチャートである。
【図３】図３は、温度制御システムの別の事象系列を示すフローチャートである。
【図４】図４は、モバイル機器にアプリケーションが存在する温度制御システムを有する温水システムを模式的に示す図である。
【図５】図５は、単独で設置される装置を含む温度制御システムを有する温水システムを模式的に示す図である。
【図６】図６は、モバイル機器と通信する単独で設置される装置を模式的に示す図である。
【図７】図７は、高温設定の開始と終了の過程を示すフローチャートである。
【図８】図８は、図７に示す過程を実行可能にすると受信器の構成要素を模式的に示す図である。
【図９】図９は、温水器が２以上の蛇口に供給する１つの出口を有する温水ネットワークを示す図である。
【図１０】図１０は、温水器が少なくとも２つの出口を有し、１つの出口は、高温までの水温が許可されている場所の蛇口に供給し、別の出口は、低温までの水温のみが許可されている場所の蛇口に供給する温水ネットワークを示す図である。
【図１１】図１１は、それぞれが別々の温度制御システムによって制御される２つの温水ネットワークを示す図である。
【発明を実施するための形態】
【００４９】
本明細書に記載された場所に基づく温度制御は、様々な温水システムに適用することができる。このような温水システムは、例えば、蓄熱温水システム、すなわち、タンクを含み、ガス、電気、熱ポンプ、または太陽エネルギーによって加熱されるシステムである。または、本明細書に記載された場所に基づく温度制御は、ガス式または電気式にかかわらず、貯蔵タンクを含まない瞬間温水システムに適用することもできる。また、この制御システムは、製造時及び設置時における温水システムへの適用も、既存の温水システム及び配管網への組み込みも、いずれも可能であることが想定されている。以下の説明において、別段の指示がない限り、実施形体において、例えばＣＦＧＷＨ（連続流ガス式温水器）のようなガス式瞬間温水器が使用される。
【００５０】
浴室内の蛇口、化粧室のシンク、またはシャワーのような温水利用ポイントの幾つかでは、安全対策として、ユーザが蛇口から利用可能な温水を所定の安全温度しきい値（例えば、５０℃）よりも熱くせず、熱傷を防止することが必要とされる。安全温度しきい値以下の給湯温度は、低温範囲内にある。この所定の温度は、温水器が水を加熱する初期設定（既定）温度として設定されるものであってもよい。あるいは、温水器は、特定の温度で給湯するための固有の初期設定を有するものであってもよい。例えば洗濯室または台所のような他の場所において、例えば洗い及びすすぎのような目的のために、より高い温度設定が必要とされる場合もある。この温度設定は、通常、安全温度しきい値よりも高温である。
【００５１】
図１は、本発明の一実施形体である場所に基づく温度制御システム１００のトポロジの概要を示す図である。場所に基づく温度制御システム１００によって、ユーザは、必要な場合、１つまたは複数の場所における温水器または温水システムの温度設定を、選択または変更することが可能となる。例えば、この選択は、上述した低温範囲よりも高い温度を設定することを含むものであってもよい。これらの場所の外側では、水温の設定は、所定の安全温度しきい値に事前設定されているか、または低温範囲内でユーザ選択可能となっている。
【００５２】
温度制御システム１００は、温水器１０を備えている。この温水器は、住居または建築物内の温水利用ポイント（例えば、蛇口）の固有のネットワークに対して温水を提供する。温水器とその配管接続網は、温水システムまたは温水ネットワークとみなされる。複数の温水器が使用されている大きな住居では、各温水システムが、それぞれ固有の温度制御システム１００によって別々に制御される場合もある。
【００５３】
単一の温水システムのための温度制御システム１００によって、１人または複数のユーザは、自身のモバイル機器（例えば、携帯電話）を使用して、温水の温度設定を調整することができる。しかしながら、このユーザに有効化されているのは、特定の場所（例えば、洗濯室または台所内の温水利用ポイント）において、高温範囲（すなわち、安全温度しきい値よりも高温の範囲）内の水温を設定することのみである。すなわち、温度制御システムは、場所に基づく制御を用いている。
【００５４】
温度制御システム１００は、通信装置１０４を含む。この通信装置は、高い給湯温度が許可された温水利用ポイントの近くに承認されたユーザが存在することの確認を使用可能にするために配置される。通信装置１０４は、ユーザまたはモバイル機器が温水利用ポイントの近くにいるかどうかを確認するために、モバイル機器または承認されたユーザから通信を受信することに適している。この通信装置は、信号１０７を射出する信号射出装置１０５を含むものであってもよい。信号射出装置１０５は、好ましくは、ビーコンである。ビーコン１０５は、指向性射出装置であり、例えば１つまたは複数の指向性ビーム（例えば、レーザーまたは赤外線ビーム）を射出する。あるいは、射出装置は、無指向性信号を射出するものであってもよい。射出される信号は、Ｂｌｕｅｔｏｏｔｈ（登録商標）、Ｂｌｕｅｔｏｏｔｈ（登録商標）  Ｌｏｗ  Ｅｎｅｒｇｙ（ＢＬＥ）、電波、赤外線ビーム、所定の可聴周波数パターン、または超音波信号、あるいは、位置標識信号として適切な任意の他の信号を含むものであってもよい。信号射出装置１０５は、異なる信号源から無線信号を射出する２つ以上のビーコンを含むものであってもよく、これによって、システムによる三角測量が可能となる。必要なのは、射出装置１０５が、モバイル機器１１０の通信モジュール１３２によって検出可能かつ識別可能な信号１０７を射出または送出することである。
【００５５】
信号射出装置またはビーコン１０５は、温水ネットワーク内の事前選択された温水利用ポイント（例えば、台所のシンクの蛇口）に近い位置に設けられる。この温水利用ポイントは、比較的低温の安全温度しきい値よりも高温の最高水温が許容される場所である。したがって、ビーコン１０５によって生成される信号は、高温の温水利用ポイントの領域（例えば、台所）を、住居または空間の別の部分から区分するように機能する。
【００５６】
ビーコン１０５は、少なくとも１つのモバイル機器１１０（例えば、スマートフォン、タブレット、または他の無線式リモートユニット）によって検出可能かつ識別可能な、または検出されかつ識別されるために適した信号１０７を生成する。ビーコン１０５は、事前選択された温水利用ポイントの近くに配置されているため、温度制御システム１００は、モバイル機器１１０によって検出されかつ識別された信号によって、モバイル機器１１０がいつ事前選択された温水利用ポイントの近くにあるかを判別することができる。モバイル機器１１０によってビーコンの信号１０７が検出可能な領域１は、モバイル機器１１０を使用して水温を高温範囲に要求または設定することが可能な「所定の」場所である。ビーコンの信号１０７が検出可能ではない残りの領域２は、高温設定が許可されておらず、どんな温度制御も低温範囲内でのみ許可されている。射出される信号１０７の距離または範囲は、高温の温水利用ポイントを備える領域を適切なまたは十分な範囲とするために、調整可能であってもよい。したがって、ビーコンまたは信号射出装置１０５は、信号の同調または調整を可能とするアプリケーション、または、信号の同調または調整を可能とする物理的な選択部または調整部（例えば、ダイアルまたはボタン）を含む。
【００５７】
通信装置１０４は、信号射出装置１０５の代わりに、または信号射出装置１０５に加えて、認証装置１４０を含む場合もある。信号射出装置と認証装置の両方を含む実施形態において、認証装置１４０は、信号射出装置１０５と別体のものであってもよく、または一体化されていてもよい。認証装置１４０は、次のうちの１つまたは複数を含むものであってもよい。それらは、指紋スキャナのような生体計測スキャナ、バーコードまたはＱｕｉｃｋ  Ｒｅｓｐｏｎｓｅ  コード（ＱＲコード（登録商標））用のスキャナ、近距離無線通信（ＮＦＣ）用スキャナ、事前設定された場所または接続ポイントにおいてモバイル機器を載置するための受台（クレードル）または面である。
【００５８】
モバイル機器１１０には、モバイル機器１１０のプロセッサ１２０が実行するアプリケーションまたはプログラム１１５が作動可能に付属する。アプリケーションまたはプログラム１１５は、モバイル機器１１０にあらかじめロードされていてもよく、または、ダウンロード可能なソフトウェア製品であってもよい。アプリケーションまたはプログラム１１５は、それが実行されると、ユーザが温度制御システム１１０とインタフェースをとることを可能にするように動作する。
【００５９】
ユーザまたはユーザのモバイル機器１１０が事前選択された高温の温水利用ポイントの近くにいるという判定に応答して、アプリケーションまたはプログラム１１５は、高温範囲からの温度が使用可能な状態で起動または始動する、または起動または始動が可能となる。そうでない場合、アプリケーションは、仮に始動が可能であっても、ユーザが高温範囲から選択することを可能にすることはない。アプリケーションまたはプログラム１１５は、ユーザが、所望の場合、事前選択された温水利用ポイントにおける高温設定を承認または選択するためのユーザインタフェースを起動させる、または起動を可能にするために適している。任意選択で、アプリケーションまたはプログラム１１５は、ユーザが高温範囲から温度設定を承認または選択することを防止する制限を含む、または実装するものである。この制限は、アプリケーションまたはプログラムが、ユーザによって始動または起動されることも防止するものであってもよい。この制限は、モバイル機器が事前選択された高温の温水利用ポイントの近くにあると判定された場合、解除される。これによって、ユーザは、所望の温度設定（例えば、高温設定）を選択することができる。
【００６０】
アプリケーションまたはプログラム１１５、及び上述した関連するユーザインタフェースは、ユーザの操作（例えば、アプリケーションまたはプログラムへスワイプし、ついで始動をタップする）によりモバイル機器上で起動する。あるいは、アプリケーションまたはプログラム１１５は、モバイル機器１１０が所定の領域内にあると判定されたとき、自動的に起動する。
【００６１】
所定の領域内において、ユーザは、高温設定であり得る温度設定を選択することが可能となる。この際、可能な最高出力温度は、安全温度しきい値よりも高温である。あるいは、温度設定は、低温設定であってもよい。この際、給湯温度は、「安全な」温度かそれよりも低い温度の範囲から選択される。幾つかの実施形態において、温水システムの初期設定は、給湯温度が低温範囲内である安全温度設定である。この場合、選択可能な温度設定は、特定の設定（例えば、高温設定）に限定されるものであってもよい。高温設定の選択がない場合、安全温度設定が使用される。
【００６２】
ユーザにより提供または入力されるデータ（例えば、コマンドまたは承認キー）は、受信器１２５に無線通信される。したがって、モバイル機器１１０は、受信器と互換性を有する通信プロトコルによりデータを送信する通信ユニットを有している。モバイル機器１１０と受信器１２５との間の通信は、好ましくは安全な通信であり、例えば暗号化さている。受信器１２５は、温水器１０の温度設定を制御するために温水システムと通信する。受信器１２５は、温水器１０のコントローラとは別体の部品であり、コントローラと有線接続されるかまたは無線通信する。あるいは、受信器は、温水器のコントローラ内の組み込みモジュールまたは組み込み部品である。
【００６３】
温度制御システム１００が温水器１０に高温の温水を出力させるのは、高温設定の選択が受信器１２５に通信されたときのみである。どんな選択もなされない場合、温水器１０は、低温の安全温度で温水を出力する。
【００６４】
上述したように、モバイル機器１１０は、通信のために受信器１２５と対をなす。しかし、２以上のモバイル機器１１０が、受信器１２５と対をなすものであってもよい。すなわち、対をなすモバイル機器１１０のそれぞれは、そのモバイル機器１１０が所定の領域内にあるとき、温度設定を選択するためにユーザによって使用されるものであってもよい。任意選択で、受信器１２５に存在するアプリケーションまたはプログラム１２１は、対をなすモバイル機器のそれぞれに優先順位を割り当てる。この場合、アプリケーションまたはプログラム１２１は、２以上の対をなすモバイル機器が所定の領域１内にあるとき、水温を設定するために優先されるモバイル機器はどれかを判別する。そして、優先順位の最も高いモバイル機器１１０からの通信または選択が優先される。
【００６５】
特定の温度設定における給湯温度が、製造者によって事前設定されるか、ユーザによって事前設定されるか、または、アプリケーションまたはプログラム１１５を使用してユーザ選択可能である。製造者の事前設定温度が選択されていた場合、任意選択で、アプリケーションまたはプログラムは、さらに、この事前設定温度をユーザがアプリケーション１１５を使用して変更できるようにする。給湯温度がユーザ選択可能な実施形態では、この選択は、セットアップ段階、または温度制御システムのアプリケーションまたはプログラム１１５の起動時になされる。
【００６６】
例えば、好ましい態様では、一旦製造者またはユーザのいずれかによって高温設定内で「高温」設定が選択されると、後の高温の水温設定の選択によってユーザが「高温」の温度設定を確認または入力することを要することなく、自動的に最高許可温度が選択された「高温」になる。この構成によって、高温設定が有効化される前にユーザに必要な入力の数が低減する。あるいは、プログラムが起動するとき、ユーザは、高温設定内で、事前設定温度を選択するか、または低温範囲よりも高温の水温範囲から新規の温度を選択するまたは入力するかを、選択するものであってもよい。あるいは、ユーザは、単に、アプリケーションプログラムから温度を入力または選択するように促される、またはアプリケーションプログラムによってユーザによる温度の入力または選択が可能となるものであってもよい。所望の場合、環境温度よりも高いが低温の安全温度よりも低い温度を選択または入力するものであってもよい。
【００６７】
特定の実施形態において、温度設定を選択するステップは、ユーザを認証するステップ、またはモバイル機器を認証するステップ、または、これらの両方を含む。ユーザ及び／またはモバイル機器を認証するステップによって、子供が大人のモバイル機器を使用して、蛇口に供給される安全な低温よりも高温の温水を承認する可能性が低減される。
【００６８】
特定の実施形態において、ユーザは、高温設定を選択するか否かを選択するように制限される。ユーザが提供する必要がある入力の数を低減するため、認証の成功によって高温設定が自動的に選択される。あるいは、システムは、ユーザ及び／またはモバイル機器の認証が、受信器１２５が温水器１０に高温の出力のためのコマンドを送信するために、温度設定の前または後のいずれかにおいて、完了されることを要する別のステップであるようにセットアップされる。このようなセットアップは初期設定であってもよく、または後に（例えば、インストール時に、または別の機会にユーザによって）選択される選択可能な設定であってもよい。
【００６９】
図２は、温度設定の選択及び温水器との通信に至る過程を示すフローチャートである。図２に示すように、ビーコンの信号到達範囲である領域（例えば、部屋）内にモバイル機器が持ち込まれると（２０５）、通常動作の下に、モバイル機器によってビーコン信号が検出され、その信号が識別される（２１０）。信号の識別特性が識別されると、モバイル機器のアプリケーションプログラムが起動される（２１４）。上述したように、この起動（２１４）は、自動的にまたはユーザによって実行される。任意選択で、この起動（２１４）の前に、信号の検出によって、アプリケーションの起動を防止する制限が解除される（２１３）。アプリケーションの起動後、アプリケーションプログラムを使用して、ユーザは、温度設定が選択可能となる（２１５）。上述したように、温度設定の選択を生じさせる動作は、ユーザが温度設定内の温度を選択する、及び／または、特定の温度設定が選択されることを確認することであってもよく、さらに、それに加えて、またはその代りに、ユーザによる認証ステップが完了する。温度設定の選択が完了すると、アプリケーションプログラムは、この選択を受信器に無線送信する信号通信を発生させる（２２０）。次いで、受信器は、この制御データを温水器に通信する（２２５）。次いで、温水器は、選択された設定内の給湯温度で温水を出力する（２３０）。
【００７０】
図３には、少し異なる実施形態が示されている。この実施形態では、ユーザの選択とユーザ／モバイル機器の認証が、別々のデータとして受信器に直接提供される。温度制御を開始するには、モバイル機器がビーコンの信号到達範囲である領域内に持ち込まれる（３０５）。通常の動作及び接続性の下に、ビーコンの信号は、モバイル機器によって検出及び識別され、アプリケーションまたはプログラムが、自動的にまたはユーザがそれを起動することを選択した場合はユーザによって、起動される（３１０）。アプリケーションプログラムは、ユーザが、特定の（例えば、高温の）温度設定の使用を確認することを可能とし（３１５）、モバイル機器の通信モジュールに対して、この選択を受信器に無線通信させる（３２０）。代わりに、製造者またはユーザにより事前設定されている場合、システムは、認証動作または認証キーを要求することによって、ユーザ及び／またはモバイル機器が認証されたことを確認し（３２５）、次いで、この認証の確認を受信器に無線通信する（３３０）。受信器は、特定の温度設定が選択され、ユーザ及び／またはモバイル機器が認証されたという信号を受信すると、対応する温度設定のコマンドまたは制御信号を温水器のコントローラに提供する（３３５）。すなわち、温水器が選択された温度設定で温水を出力するために、受信器は、温度設定のユーザ選択（３１５）と、ユーザ及び／またはモバイル機器が認証されたことの確認（３３０）の両方を受信する必要がある。次いで、温水器は、適切な給湯温度で温水を出力する（３４０）。
【００７１】
ユーザの認証は、モバイル機器１１０から、または事前選択された温水利用ポイントの領域内の便利な位置に設けられた別の機器からのいずれから実行さるものであってもよい。図４には、第１の実施形態の温度制御システム１００の通信と構成要素が模式的に示されている。この実施形態では、認証はモバイル機器１１０から実行される。モバイル機器１１０は、プロセッサ１２０に入力を提供する入力モジュール１３０を備えている。入力モジュール１３０を使用して、ユーザは、適切な承認キーまたは認証キーを提供し、このデータはプロセッサ１２０への入力として提供される。アプリケーションまたはプログラム１１５は、適切な選択及び／または認証データを受信すると、温水器１０が選択された温度設定で温水を出力することを可能にするために、受信器１２５に無線信号を提供する。
【００７２】
入力モジュール１３０は、次のうちの１つまたは複数である。それらは、キーボード／キーパッド（例えば、英数字キーボード／キーパッド）、生体計測センサ（例えば、指紋センサ）、例えば子供の手の届かない位置に設けられたバーコード、Ｑｕｉｃｋ  Ｒｅｓｐｏｎｓｅ コード（ＱＲコード（登録商標））をスキャンするためのカメラまたはスキャナ、網膜像、または、音声指令を記録するためのマイクロフォンである。幾つかの実施形態において、異なる複数の態様の検証の組合せが要求される。
【００７３】
図５に示す変形例では、認証キーを入力するために使用される入力モジュールまたはハードウェア１５０は、認証装置１４０上に位置している。これによって、ユーザがモバイル機器にデータを入力する必要性が低減する。これは、ユーザは、濡れた物または汚れた物を取り扱っており、モバイル機器に対して実行を要するステップ数を最小化したい可能性があるため、望ましい場合がある。別体の認証装置１４０は、提供された認証キーを検証するか、または有線通信または無線通信で受信器１２５に認証キーを提供する。
【００７４】
認証装置１４０は、入力用のハードウェアまたはモジュール１５０を含む。入力用のハードウェアまたはモジュール１５０は、次のうちの１つまたは複数を含むものであってもよい。それらは、物理的トリガまたはスイッチ、生体計測スキャナ、例えば英数字入力ができるキーパッド、モバイル機器が載せられる受台（クレードル）、またはモバイル機器がスキャンされる近距離無線通信（ＮＦＣ）用スキャナ、または、アプリケーションまたはプログラム１１５によってモバイル機器のスクリーンに呈示されたバーコードまたはＱＲコード（登録商標）をスキャンするバーコードまたはＱＲコード（登録商標）用スキャナである。認証装置１４０は、事前設定された位置または事前選択された温水利用ポイントの近くの接続ポイント、好ましくは小さい子供から見えないかまたは手の届く可能性の低い位置、に設けられる。認証装置１４０に含まれる通信モジュール１５５によって、認証装置１４０は、受信器１２５及びモバイル機器１１０と通信可能となる。認証装置１４０が認証キーを検証する装置である場合、この認証装置は、ユーザによって提供されたデータと比較される認証キー（認証されたキー）が保存されるデータストレージ媒体１６０を含むものである。
【００７５】
幾つかの実施形態において、認証装置１４０は、信号射出装置１０５の代わりに用いられる。認証装置１４０が温水利用ポイントの近くに配置されていることによって、その認証装置１４０で自身の携帯電話または他のモバイル機器を認証するユーザの行動は、そのユーザが温水利用ポイントの近くにいることを確認するものとなる。
【００７６】
他の実施形態において、信号射出装置１０５と認証装置１４０の両方が、別々に、または一体化された装置として、設けられる。
【００７７】
さらなる実施形態において、単独で設置される装置（上述した認証装置１４０として機能するものであってもよい）が設けられる。単独で設置される装置は、ユーザがモバイル機器を操作する必要性を大きく低減するか、または解消する。例えば、図６に示すように、単独で設置される装置６００は、１つまたは複数の利用可能な通信プロトコルを使用してモバイル機器１１０と通信するために適した通信モジュール６０５を含む。モバイル機器１００は、ビーコンの信号を検出すると、単独で設置される装置６００のコントローラまたはマイクロコントローラ６１０にビーコンの検出を通信する。その後、ユーザは、入力モジュール６２０を使用して認証キーを入力する。この入力モジュールは、上述した認証装置１４０に関連して上述した入力態様のうちの１つまたは複数を含む。入力データは、検証されたキーと比較される。検証されたキーは、ユーザを認証するために、単独で設置される装置６００のデータストレージ媒体６２５に保存されているか、または、受信器１２５の媒体１７０に保存されている。提供された認証キーが検証されると、受信器は、高温で温水を出力するように温水器のコントローラと通信する。
【００７８】
ユーザが高温設定を必要としない場合、上述したステップは実行されない。温水器は、初期設定の温度に水を加熱する。認証装置１４０または単独で設置される装置６００は、任意選択で、タイマ６３０を含む。このタイマは、モバイル機器１１０がビーコンの信号の検出を検証したときからの時間枠を提供し、この時間枠内で認証キーを提供することができる。
【００７９】
コントローラ６１０は、任意選択で、表示器または指示器６１５に、ユーザが入力モジュール６２０を使用して認証キーを入力する準備ができていることをユーザに対して示させる。表示器は、例えば、１つまたは複数のランプ（例えば、発光ダイオード）、または組合せランプ、及び他の種類の表示器であってもよい。任意選択で、指示ランプは、高温設定が作動している間に点灯し、ユーザまたは住居内の他の人々に対する視覚的警告として機能する。認証の他のレイヤにおいて、モバイル機器１１０がビーコンの信号を検出したとき、モバイル機器は、任意選択で、受信器１２５のデータストレージ媒体１７０に、または利用可能な場合、認証装置１４０のような協働する外部装置のデータストレージ媒体に記録される自身のインターネットプロトコル（ＩＰ）アドレスを通信する。受信器１２５は、その後の任意のデータ送信またはコマンドを受け入れる前に、そのデータまたは通信が、記録されたＩＰアドレスから発したものであることを検証する。
【００８０】
温度設定が選択されるとき、温水器のコントローラは、任意選択で、事前選択された温水利用ポイントにおいて選択された温度で温水器が温水を供給する有限の温度制御期間を開始する。この温度制御期間の終了時、温水器は、初期設定の安全温度で、または以前の温度設定で温水を供給する状態に復帰する。これに加えて、またはこの代わりに、温度制御期間の終了は、ユーザによって、すなわち、ユーザが以前のまたは初期の温度設定に戻すようにシステムに要求するというユーザ停止によって、生じるまたは任意に決定されるものであってもよい。これは、スイッチを入れる、単独で設置される装置においてキーまたはボタンを押すもしくはそれに触れる、または、モバイル機器１１０で実行可能なアプリケーションまたはプログラムのユーザインタフェースから選択するまたは要求することによって実行されるものであってもよい。この代わりに、またはこれに加えて、温度制御期間の終了は、温水使用の終了によって、すなわち事前選択された温水利用ポイントにおいてユーザが蛇口を閉めたときに決定されるものであってもよく、または、所定の時間枠の後に温度制御期間が終了するといった時間に基づくものであってもよい。これに加えて、またはこの代わりに、信号射出装置１０５が設けられた幾つかの実施形態では、温度制御期間の終了は、モバイル機器におけるビーコンの信号１０７の信号検出の喪失によって生じるものであってもよい。
【００８１】
温度制御期間の終了は、任意選択で、使用法と時間の両方に基づいて決定されるものであってもよい。例えば、図７に示す例では、受信器及び／または温水器のコントローラによって温度設定の選択が受信されたとき、選択された温度設定が開始される（７０５）。この開始によって、第１の期間を期限として、タイマが始動する（７１０）。第１の期間の終了時まで、ユーザが事前選択された温水利用ポイントから温水を取り出さなかった場合、温度制御期間は終了する（７１５）。第１の期間中にユーザが蛇口を開けて事前選択された温水利用ポイントから温水を取り出した場合、タイマは停止する（７２５）。ユーザが蛇口を閉めたとき、タイマは、第２の期間までの時間を測定するために再始動する（７３０）。第２の期間は、第１の期間と同じであってもよく、または異なっていてもよい。第２の期間中に再度蛇口が開けられなかった場合、温度制御期間は終了する（７３５）。第２の期間中に再度蛇口が開けられた場合（７４０）、タイマは、再び第１の期間を期限として、再始動する（７１０）。このようにして、温度制御期間は、ユーザが第２の期間よりも長時間蛇口を閉めたままにするまで持続する（７３０）。
【００８２】
温度制御システムまたはネットワークでは、温度制御期間の終了前に、別の温度制御期間が開始されることは許可されない。これによって、ユーザが１つの場所で安全温度設定から選択したにもかかわらず、異なるユーザが異なる場所で温水器が高温の温水を供給するような温度制御期間を開始したことにより、思いがけなく熱傷を負うというような状況が防止される。
【００８３】
図８には、図７に示す過程を実行可能にする構成要素の一例が示されている。温水器１０５には、流量計２５が込みこまれており、この流量計は、事前選択された温水利用ポイント２０に対して温水を供給する温水器の出口１２から供給される温水の流量を測定する。流量計１２の出力は、タイマ１２７を含む受信器１２５に提供される。このタイマは、上述した制御ルーチンを実行するコントローラ（例えば、マイクロコントローラ）１２９にデータを提供する。
【００８４】
上記の実施形態において、モバイル機器１１０、認証装置１４０（さらに一般的には単独で設置される装置６００）、及び受信器１２５の間の通信には、次のうちの１つが使用される。それらは、極超短波（ＵＨＦ）電波信号、超短波（ＶＨＦ）電波信号、周波数変調（ＦＭ）電波信号、振幅変調（ＡＭ）電波信号、３Ｇ、４Ｇ、または５Ｇのプロトコル、Ｂｌｕｅｔｏｏｔｈ（登録商標）  Ｃｌａｓｓｉｃ、Ｂｌｕｅｔｏｏｔｈ（登録商標）  Ｌｏｗ  Ｅｎｅｒｇｙ（ＢＬＥ）、ＷｉＦｉ（登録商標）  Ａ／Ｂ／Ｃ／Ｇ／Ｎ、赤外線（ＩＲ）である。
【００８５】
図９には、温水器が単一の出口を有するが、２以上の蛇口に温水を供給するために適した温水ネットワークが示されている。供給される温水は、蛇口の場所にいるユーザが要求するように、給水本管５からの非加熱水と混合される。少なくとも１つの蛇口２０は、高温が許可されている領域内（例えば、台所内）に配置されている。１つまたは複数の他の蛇口２２は、温度設定の選択または高温の温水が許可されていない領域内に配置される。しかし、高温の設定が有効な間、高温に加熱された温水は、すべての蛇口２０、２２に向けて供給可能である。したがって、幾つかの実施形態では、水温が高くても安全温度であることを確保するために、蛇口２２または蛇口２２の近くに湯水混合弁３２が設置されている。高温の温水が許可されている場所に配置された蛇口２０も、湯水混合弁３０によって制御されるものであってもよいが、高温に設定される。
【００８６】
あるいは、図１０に示すように、温水器１０は、少なくとも２つの出口を有しており、１つの出口は、高温までの水温が許可された場所にある１つまたは複数の蛇口２０に温水を供給し、別の出口は、安全温度までの水温のみが許可された場所にある１つまたは複数の蛇口２２に温水を供給する。より極端な状況では、温水器１０は、蛇口の数と同数の出口を有するものであってもよい。それぞれの蛇口が、湯水混合弁３０、３２を備えるものであってもよい。但し、湯水混合弁３２は、少なくとも、安全温度までの温度のみが許可されている場所の蛇口２２に設けられる。
【００８７】
図１１に示すように、例えば２つの別々の台所がある住居または建築物内において、それぞれの台所の配管は、好ましくは、別々の温水ネットワークの一部であり、それぞれの温水ネットワークは、別々の温度制御システム１００によって制御される。
【００８８】
例えば後付けの装置の場合には、ビーコンと受信器、並びに、入力装置及び／または認証装置は、独立のハウジング内に設けられるものであってもよく、あるいは、所望の場合、電源コンセントの一部として設けられるものであってもよい。防護が求められる場合、ビーコン、受信器、入力及び認証装置を備えた電源コンセントのハウジングを設ける必要がる。
【００８９】
「〜からなる／〜を含む（comprise）」という語は、それが使用される場合は常に、非排他的な意味、すなわち「〜を含む（including）」の意味で解されるべきであり、排他的な意味、すなわち「〜のみから構成される（consisting only of）」の意味に限定されるものではない。対応する単語（comprise, comprised, comprises）には、それが出現した箇所において、対応する意味が付随する。
【００９０】
本明細書に開示及び定義される発明は、言及されたまたは記載から明らかな２以上の個別の特徴の全ての取り得る組合せにまで及ぶものである。これらの様々な組合せの全ては、本発明の様々な取り得る態様を構成する。
【００９１】
本発明の特定の実施形態を説明したが、本発明が、その本質的特徴から逸脱することなく他の特定の形態としても実現可能あることは、当業者には明らかである。したがって、上述した実施形態及び実施例は、あらゆる点において、例示であり、本発明を限定するものではないと見なされるべきものである。したがって、当業者にとって明らかな全ての修正は、本発明に含まれることが意図されている。
【図１】
2020513534.tif 000003
【図２】
2020513534.tif 000004
【図３】
2020513534.tif 000005
【図４】
2020513534.tif 000006
【図５】
2020513534.tif 000007
【図６】
2020513534.tif 000008
【図７】
2020513534.tif 000009
【図８】
2020513534.tif 000010
【図９】
2020513534.tif 000011
【図１０】
2020513534.tif 000012
【図１１】
2020513534.tif 000013
【国際調査報告】
2020513534.tif 000014
2020513534.tif 000015
2020513534.tif 000016